(57)【要約】      （修正有）【課題】回路構成が簡単で、起動信号の入力から安定した発振の定常状態になるまでの時間を短縮した水晶発振回路を提供する。【解決手段】水晶発振回路１は、外付けした水晶振動子２と、帰還抵抗３と、水晶振動子２の発振振幅を増幅させるインバータ６を備え、その入力端Ａに、起動信号によって所定時間オン動作して前記入力端Ａの電位を下げるトランジスタ９からなるスイッチング素子を設け、このトランジスタ９は、起動信号が入力するとモノパルスを発生するモノパルス発生回路１０によって、モノパルス信号が出力されている間オン動作するよう制御される。【選択図】図１
2007318398.tif 000002
【特許請求の範囲】
【請求項１】
水晶振動子の発振振幅を増幅させる増幅回路を備えた水晶発振回路において、
この水晶発振回路の入力端に、起動信号によって所定時間オン動作して前記入力端の電位を下げるスイッチング素子を設けた
ことを特徴とする水晶発振回路。
【請求項２】
スイッチング素子は水晶発振回路の入力端と接地間に挿入されたトランジスタからなり、このトランジスタは、起動信号が入力するとモノパルスを発生するモノパルス発生回路によってオンオフ制御されることを特徴とする請求項１記載の水晶発振回路。
【発明の詳細な説明】
【技術分野】
【０００１】
本発明は、水晶発振回路に関する。
【背景技術】
【０００２】
水晶発振回路は、水晶振動子の発振振幅を増幅させる増幅回路（インバータ）を備え、その入力端は、発振停止時には電源電圧に固定され、起動信号が与えられると、入力端は電源電圧から切り離されて、徐々に発振が開始される。水晶発振回路は入力信号を必要とせず、発振条件さえ満たしていれば、徐々に発振するのであるが、入力端の電位が定常状態の電位レベルにまで下がるのに時間がかかり、安定動作に達するまでには長時間を要するのが一般的である。
【０００３】
従来においても、電源投入後の発振開始から安定した発振までの起動時間の短縮を図ったものとして、水晶発振子の両端に、互いに位相の異なるクロック信号を一定時間与えて、水晶振動子の励振を促進することが提案されている。（特許文献１）
【特許文献１】特開平１１−２８４４３８号公報
【発明の開示】
【発明が解決しようとする課題】
【０００４】
ところが、上述した改良提案では、発振回路が待機状態にあるときでもクロック信号を生成する回路やクロック信号をカウントするカウンタなどを必要とするので、回路構成が複雑になるという不都合がある。本発明は、この不都合を解消した水晶発振回路を提供することを目的とする。
【課題を解決するための手段】
【０００５】
本発明は、起動信号入力前には電源電圧と同レベルにある入力端の電位を、起動信号の入力時に、一時的に接地方向に下げて、定常状態になるのを促進するもので、具体的には、本発明の請求項１に係る水晶発振回路は、例えば水晶振動子を外付けし、この水晶振動子の発振振幅を増幅させる増幅回路を備えた水晶発信回路において、この水晶発振回路の入力端に、起動信号によって所定時間オン動作して前記入力端の電位を下げるスイッチング素子を設けたものである。
【０００６】
また、本発明の請求項２に係る水晶発振回路は、上述のスイッチング素子を、水晶発振回路の入力端と接地間に挿入されたトランジスタで構成し、このトランジスタは、起動信号が入力するとモノパルスを発生するモノパルス発生回路によってオンオフ制御されるよう構成したものである。
【発明の効果】
【０００７】
本発明に係る水晶発振回路によれば、起動信号の入力時に水晶発振回路の入力端の電位を一時的に下げることにより、起動信号が入力して発振を開始してから発振動作が安定する定常状態になるまでの時間を短縮することができるという効果を奏する。
【発明を実施するための最良の形態】
【０００８】
以下、本発明の好適な実施形態を、図１に示す概略的な回路図に基づいて説明する。水晶発振回路１は、外付けした水晶発振子２と、帰還抵抗３と、この帰還抵抗３と直列に挿入し、水晶発振回路１の待機時にはオフ状態で、起動信号が入力するとオン状態になるトランスファゲート回路４と、前記帰還抵抗３と前記トランスファゲート回路４の接続点と電源との間に挿入し、水晶発振回路１の待機時にはオン状態で、起動信号がゲートに入力するとオフ状態になるＭＯＳトランジスタ５と、反転増幅回路であるインバータ６と、発振動作安定用のキャパシタ７，８とからなる。
【０００９】
水晶発振回路１の入力端Ａと接地間には、ＮＭＯＳトランジスタ９を挿入し、このＮＭＯＳトランジスタ９のゲートには、起動信号が入力するとモノパルス信号を出力するモノパルス発生回路１０の出力端を接続している。図２はモノパルス発生回路１０の構成を示し、ＤＦＦ（ディレイフリップフロップ）１１と、ＡＮＤ回路１２と、インバータ１３，１４とからなる。ＤＦＦ１１の入力端子Ｄには電源電圧が入力し、ＤＦＦ１１の入力端子ＣとＡＮＤ回路１２の一方の入力端に起動信号が入力し、また、ＤＦＦ１１の入力端子ＣＬにはインバータ１４からのクリア信号が入力する。さらに、ＤＦＦ１１の出力端子Ｑから、起動信号あるいはクリア信号の入力に応じてなされる出力は、ＡＮＤ回路１２の他方の入力端に入力し、ＡＮＤ回路１２の出力は、ＮＭＯＳトランジスタ９に出力されるとともに、インバータ１３に入力する。
【００１０】
続いて、上述した水晶発振回路１の動作を説明する。水晶発振回路１の待機状態においては、ＭＯＳトランジスタ５がオン状態にあって、電源電圧が帰還抵抗３を介して入力端Ａに与えられるが、トランスファゲート回路４はオフ状態にあり、帰還路が形成されないので発振は開始しない。起動信号が入力すると、ＭＯＳトランジスタ５はオフとなって水晶発振回路１は電源電圧から切り離されるとともに、トランスファゲート回路４がオン動作して帰還路が形成され、発振が開始する。
【００１１】
この時、起動信号はモノパルス発生回路１０にも入力し、ＤＦＦ１１の出力端Ｑから「Ｈ」が出力される。これによって、ＡＮＤ回路１２の両入力端に「Ｈ」が入力し、前記ＡＮＤ回路１２は「Ｈ」を出力する。この出力はＮＭＯＳトランジスタ９をオンさせ、これによって水晶発振回路１の入力端Ａの電位は下降する一方、各インバータ１３，１４を介してクリア信号としてＤＦＦ１１の入力端子ＣＬに入力し、出力端子Ｑの出力は「Ｌ」となる。これによって、ＡＮＤ回路１２の出力も「Ｌ」となり、前記ＮＭＯＳトランジスタ９はオフとなる。すなわち、モノパルス発生回路１０のＡＮＤ回路１２から出力されるモノパルス信号は、ＤＦＦ１１に起動信号が入力してからクリア信号が入力するまでの時間出力されて、この時間だけＮＭＯＳトランジスタ９がオンされる（図３参照）。
【００１２】
ＮＭＯＳトランジスタ９がオフになると、水晶発振回路１の入力端Ａの電位の下降も停止し、通常の発振動作が継続されて、従来よりも早く安定した定常状態で発振する。発振動作が定常状態になるまでの時間は、従来の約１／３である。
【００１３】
なお、本発明は上述の実施形態に限定されるものではなく、例えば、スイッチング素子はＮＭＯＳトランジスタ９に限らないが、入力端Ａの電位を下げるための通電時間の制御を考えると、モノパルス発生回路１０とＭＯＳトランジスタとの組み合わせが好適であり、ＭＯＳトランジスタはＮ型に限定されない。
【図面の簡単な説明】
【００１４】
【図１】水晶発振回路の概略的な回路図。
【図２】モノパルス発生回路の概略的な回路図
【図３】起動信号とモノパルス発生回路の出力との関係を示すグラフ。
【符号の説明】
【００１５】
１      水晶発振回路
２      水晶振動子
３      帰還抵抗
４      トランスファゲート回路
５      ＭＯＳトランジスタ
６      インバータ
７，８      キャパシタダイオード
９      ＮＭＯＳトランジスタ
１０      モノパルス発生回路
１１      ＤＦＦ
１２      ＡＮＤ回路
１３，１４      インバータ
【図１】
2007318398.tif 000003
【図２】
2007318398.tif 000004
【図３】
2007318398.tif 000005